(57)【特許請求の範囲】
【請求項１】
挟持部を設けた挟持本体からなる挟持体を下端に設けた揺動アーム二枚を、挟持部が対向するよう中央で揺動ピンを支軸として揺動可能とした揺動体二対を対向し、通穴を穿設した台板上に支持体を介してシリンダに揺動体の上部をそれぞれ連結した挟持手段と、台板上に直立並設置するスライド受体の内側に凹溝を穿設し、スライド体を凹溝間にスライド可能に設けて揺動ピンを支持し、ワイヤー取付金具を台板上に設けてワイヤーの連結を可能としてなる持上手段との組合せとしたことを特徴とする構造物の支柱引抜装置。
【請求項２】
一方の揺動体の揺動アーム上部に受穴を穿設するワイヤー受板を中央側に突き設置した請求項１記載の構造物の支柱引抜装置。
【発明の詳細な説明】
【０００１】
【発明の属する技術分野】
本発明は建築或は土木など特に高速道路関係の構造物の支柱下端が地中に埋め込まれているのを引き抜く時に用いる構造物の支柱引抜装置に関するものである。
【０００２】
【従来の技術】
建築或は土木など特に高速道路の中央分離帯や路肩に設けられた構造物の支柱を交換や撤去のために引き抜くには、特別な装置は無く現場にて支柱にワイヤーを巻き付けたり、或は円筒を支柱に挿入して楔を打ち込み円筒又は楔にワイヤーを引っ掛けクレーンにて引抜くようにしていた。
【０００３】
【発明が解決しようとする課題】
しかしこのような引抜き方法では、円筒に楔を打ち込むのに一ヶ所では楔と円筒共に滑ってしまうため全周に打ち込むため手作業で時間が掛かると共に、支柱を引抜き容易にする前工程の支柱埋め込み部分の剥離作業も労力と時間が掛かるなどによって、作業時間が長くなりコストが高く不経済であり支柱引抜き作業上非常に不都合を感じていた。
【０００４】
【課題を解決するための手段】
本発明はこのような不都合を解消し、
挟持部を設けた挟持本体からなる挟持体を下端に設けた揺動アーム二枚を、挟持部が対向するよう中央で揺動ピンを支軸として揺動可能とした揺動体二対を対向し、通穴を穿設した台板上に支持体を介してシリンダに揺動体の上部をそれぞれ連結した挟持手段と、
台板上に直立並設置するスライド受体の内側に凹溝を穿設し、スライド体を凹溝間にスライド可能に設けて揺動ピンを支持し、ワイヤー取付金具を台板上に設けてワイヤーの連結を可能としてなる持上手段との組合せとしたものである。
更に一方の揺動体の揺動アーム上部に受穴を穿設するワイヤー受板を中央側に突き設置したものである。
【０００５】
【作用】
使用に当たっては、揺動ピンを支軸として揺動体を揺動させることにより、挟持体の挟持部にて構造物の支柱を確実に而もシリンダにて手早く挟持する。
そしてシリンダの伸縮により揺動体が上下動しても、揺動ピンを支持するスライド体の上下動にて揺動体の上下動に対応させることが容易に行なえ、この上下動による揺さ振りで土中の支柱の接触を緩めることが出来る。
緩んだ支柱はクレーン等にてワイヤー取付金具に引っ掛けたワイヤーを引き上げて支柱を土中より引き抜く。
ワイヤーは受け穴を通しておくことによって挟持する時などの邪魔にならないようにしている。
引抜きが終わればシリンダを元に戻して支柱の挟持を無くし、支柱を取り除けばよい。
【０００６】
【実施の形態】
以下本発明の一実施例を図面について説明する。
本実施例は高速道路の中央分離帯或は路肩に設けた構造物支柱の引抜きの場合である。
図中１は挟持手段を具体化した挟持装置全体を示し、２は台板であって、長手方向の中央で一方に寄った位置に角状の通穴２ａを穿設し、長細の補強板３を通穴２ａの両側で該台板２の長手方向に突設している。
４は支持体であって、台板２長手方向の通穴２ａの中央両側に設け、シリンダ５の下端５ａとピン６にてそれぞれ連結している。
【０００７】
７は上端に軸受８ａを設けた揺動アーム８二枚を略中央で揺動ピン９にて軸受８ａが同方向となるよう連結して揺動可能とした揺動体であって、該揺動体７二対を対向しそれぞれの揺動アーム８上端の軸受８ａにてシリンダ５の上端５ｂを挟み連結ピン１０にて連結している。
１１は挟持体であって、一方に半円の凹部からなる挟持部１２ａを設けた挟持本体１２を支体１３に設け、前記揺動アーム８下方に軸受８ａ側と同じ側に挟持部１２ａが対向するよう設けている。
【０００８】
１４は持上手段を具体化した持上装置全体を示し、１５・１６は角柱からなり一側面に凹溝１５ａ・１６ａを設けたスライド受体であって、下方に座板１７を設けて該スライド受体１５・１６を左右対称となるようにし、前記揺動体７に隣接し凹溝１５ａ・１６ａが対向するよう台板２上に設けている。
１８は角柱のスライド体であって、対向する凹溝１５ａ・１６ａに上下動可能となるよう挿入し、揺動ピン９を支持している。
【０００９】
１９・２０は断面が対称な抑受材であって、それぞれスライド受体１５・１６の側面に設けライナー２１を介して蓋板２２にて蓋し、締結具２３にて締結している。
２４はワイヤー取付金具であって、台板２上の支持体４に平設した取付体２５に連結し、ワイヤー２６の連結を可能としている。
２７は長細の受穴２７ａを設けたワイヤー受板であって、一方の揺動体７のアーム８上端に軸受８ａと同じ側に突設している。
【００１０】
使用に当たっては、ワイヤー２６をワイヤー取付金具２４に取り付けて懸吊を可能とし、次にクレーン（図では省略している）等にてワイヤー２６を引っ掛けて持ち上げ、埋め込まれている支柱２８の上部に搬送し、通穴２ａを支柱２８に合わせてからクレーンにて降ろし、図１の実線にて示す如く台板２の位置を確かめて地面に設置し持ち上げ前の準備をする。  そしてコンプレッサー（図では省略している）を作動しシリンダ５を動かして伸張すると、揺動体７は揺動ピン９を軸として揺動し、挟持体１１も揺動アーム８と共に動き図１の二点鎖線にて示す如く挟持部１２ａで挟み挟持体１２にて挟持する。
尚揺動アーム８が揺動する時き、シリンダ５もピン６を軸として揺動する。
【００１１】
支柱２８を確実に挟持体１２にて挟持すると、コンプレッサーにてシリンダ５の伸縮を少しづつ繰り返しながら支柱２８を揺さ振り、コンクリートや土砂面との接触を緩めて引抜きを可能にする。
この時シリンダ５の伸縮にて揺動ピン９が上下動するが、揺動ピン９を支持している座板１７がスライド受け体１５内を上下動する。
このように引抜きを可能にしてからコンプレッサーの作動を停止し、挟持本体１２で支柱２８を挟持した状態でクレーンにてワイヤー２６を上方へ引っ張り地面より支柱２８を引き抜く。
引抜きが終わるとクレーンにてワイヤー２６の引っ張りを止めコンプレッサーを作動してシリンダ５を元に戻し、挟持本体１２による支柱２８の挟持を外し、支柱２８を取り除く。
【００１２】
【発明の効果】
上述のごとく本発明の請求項１に於いては、挟持体の挟持部にて構造物の支柱を確実に而もシリンダにて手早く挟持すると共に、揺動ピンを支持するスライド体の上下動にて揺動体の上下動に対応させることが容易に行なえ、この上下動による揺さ振りで土中の支柱の接触を緩めることが出来るため、引抜き作業が容易となり且つ作業時間を短縮することが出来る。
請求項２に於いては、クレーンでワイヤーを引き上げる時にワイヤーが挟持体などにあたらいように誘導し、作業の能率向上を助ける。
このように経済的であり産業利用上非常に優れた発明である。
【図面の簡単な説明】
【図１】本発明実施例の正面図である
【図２】本発明実施例の背面図である
【図３】本発明実施例の平面図である
【符号の説明】
１    挟持装置
２    台板
２ａ  通穴
３    補強板
４    支持体
５    シリンダ
７    揺動体
８    揺動アーム
９    揺動ピン
１１    挟持体
１２    挟持本体
１２ａ  挟持部
１３    支体
１４    持上装置
１５    スライド受体
１５ａ  凹溝
１６    スライド受体
１６ａ  凹溝
１８    スライド体
２２    蓋板
２４    ワイヤー取付金具
２５    取付体
２６    ワイヤー
２７    ワイヤー受板
２７ａ  受穴
２８    支柱
【図１】
0003899394.tif 000002
【図２】
0003899394.tif 000003
【図３】
0003899394.tif 000004